(57)【要約】  本発明は、缶から直接に飲むための適切な衛生的状態を保証するための、飲料缶用保護カバーに、関するものであり、本体１からなっており、本体１は、適切な不浸透性を有し且つ十分に強い、好ましくは、透明な、材料で、できており、下部１ａが開いており且つ上部ベース１ｂが閉じている円筒形態であり、缶２よりも少し大きな寸法を有しており、それにより、対応するリングプル６がベースに設けられている上部にて缶２を覆い、且つ、少なくとも上半分を横方向に緊密態様で囲んでおり、本体１は、少なくとも１つの引き裂き手段を有しており、それは、部分的にダイカットされたストリップ３、又は、他の公知の同様のシステムであり、その端部に、引き裂き手段を持つのを容易にする少なくとも１つのフランジ４を有している。
2011511744.tif 000002
【特許請求の範囲】
【請求項１】
缶の表面が缶から直接に飲むことができなければならない適切な衛生的状態であることを、保証するために、飲料缶にとって、特に衛生的特質を有する保護要素として適用可能である、飲料缶用保護カバーであり、本体（１）からなっており、本体（１）は、適切な不浸透性を有し且つ十分に強い、好ましくは、純プラスチック、セロファン等、好ましくは、透明な、材料で、できており、下部（１ａ）が開いており且つ上部ベース（１ｂ）が閉じている円筒形態であり、缶（２）よりも少し大きな寸法を有しており、それにより、対応するリングプル（６）がベースに設けられている上部にて缶（２）を覆い、且つ、少なくとも上半分を横方向に緊密態様で囲んでおり、本体（１）は、少なくとも１つの引き裂き手段を有しており、それは、部分的にダイカットされたストリップ（３）、又は、他の公知の同様のシステムであり、その端部に、引き裂き手段を持つのを容易にする少なくとも１つのフランジ（４）を有している、ことを特徴とする飲料缶用保護カバー。
【請求項２】
より強く且つより良好な、缶（２）の衛生的保護を、提供するために、更に、カバーを形成する本体（１）の下部が、その内側面に、接着剤又は同様に取り付けるための他のタイプのものを有するバンド（５）を、備えており、バンド（５）は、缶（２）の側面に対する本体（１）の下部の固着を維持し、両要素（カバー及び缶）間の空間を密封する、請求項１記載の飲料缶用保護カバー。
【請求項３】
本体（１）が、任意に、缶（２）を完全に覆い、その場合に、本体（１）は、下部で開いておらず、接着剤を有するバンド（５）を用いて取り付けられる必要が無い、請求項１記載の飲料缶用保護カバー。
【請求項４】
本体（１）が、任意に、缶（２）の上部を覆うだけである、請求項１記載の飲料缶用保護カバー。
【発明の詳細な説明】
【技術分野】
【０００１】
（本発明の対象物）
本件明細書の発明の名称で表現しているように、本発明は、飲料缶用の保護カバーに関するものである。
【０００２】
より具体的には、本発明の対象物は、カバーである。そのカバーの目的は、飲料缶にとって、特に衛生的特質を備えている保護要素として、構成されていること、を含んでいる。また、上記カバーを用いることにより、缶の表面を口に接触させて缶から直接に飲むことを安全に行うことができるという適切な衛生状態が、カバーの密封を破る前に汚物や潜在菌が中に存在するという恐れ無しに、効果的に且つ簡単に保証される。
【０００３】
（適用分野）
本発明の適用分野は、容器製造業である。
【背景技術】
【０００４】
知られているように、飲料缶は、広く使用されている容器の一タイプであり、その主たる利点は、内容物を適切に且つ快適に消費するためにグラスや他の器を使用する必要なく、適切な使用を提供するという、容易性である。しかしながら、上記タイプの容器は、深刻な欠陥を有している。それは、ある事実によって与えられる。その事実は、かなり長くなる可能性のある、輸送や保管の期間中に、缶が種々の汚物を容易に堆積するということである。種々の汚物とは、単なる塵から、缶の上にこぼれたり蓄積したりする種々の物質や一般的に倉庫や同種の設備の中で勝手放題に動き回る種々の動物（ネズミ、ゴキブリ、蟻、ハエ）の糞尿である。
【０００５】
上記欠陥は、ある場合には、特定の企業が使用している、缶のパックやグループの、プラスチック包装を、用いて、部分的に解決されている。しかしながら、上記包装が通常は部分的に開いているので缶を完全には覆っていないという事実、に加えて、上記包装は、安全密封を備えていない。また、他方では、上記パックが個々の缶に又は少数の缶のグループに分けられる時、包装は破かれ又は直接に取り除かれ、人々が缶から直接に飲む場合に病原性要素が人々の口に届く可能性のある非衛生的状態に、缶は再びなってしまう。
【０００６】
それ故、ある種の保護要素を作ることが望まれている。それは、使用者が消費する確かな時間まで各缶の上面の衛生的状態を保証するものであり、本発明の主たる目的であり、それに関して、他方では、同様の、技術的な、構造的な、及び形態的な、特徴を有する他の物、の存在が、知られていないことが、指摘される。
【発明の概要】
【０００７】
したがって、本発明によって提案された飲料缶用保護カバーは、それ自体がその分野において極めて新規である。何故なら、本発明によれば、適しているとされる上記に示された対象物が得られ、その対象物は、特徴的詳細を備えており、本発明に添付された最終請求項に適切に含まれることが可能である。
【０００８】
具体的には、本発明のカバーは、本質的には、本体からなっている。本体は、適切な不浸透性を有し且つ十分に強い、好ましくは、純プラスチック、セロファン等、好ましくは、透明な、材料で、できており、また、缶と同様の形態を採用でき、他の可能性の中から、例えば材料に熱を加える技術（熱形成）を用いて、配置でき、少なくともその上半分を緊密に囲むことができ、任意に全体を覆うことができる。上記カバーは、有利には、引き裂きシステムを有しており、そのシステムは、従来公知のシステムでもよく、缶の上記部分の衛生的状態を保証し、開くことを容易にするための側フランジを任意に備えている。
【０００９】
更に、より強く且つより良好な保護を提供するために、カバーの下部は、その内側部に、接着剤等を有するバンドを、備えることができる。そのバンドは、カバーがその取扱い中に偶然に外れるのを防ぐために、カバーの缶への取付を向上させるのに加え、それが覆う部分を密封し、消費にとって、より大きな衛生的保証を提供する。
【００１０】
したがって、飲料缶用の新たな保護カバーは、上記目的のために、今まで知られていなかった構成的及び構造的な特徴を備えた、斬新的な構成を、示しており、実際的有用性と結合して、求められている独占権を得るための十分な根拠を備えている。
【図面の簡単な説明】
【００１１】
【図１】対象とする缶に適切に設けられた、本発明の対象物である飲料缶用保護カバーの、一実施形態の斜視図であり、配置される方法も、見える部分又は要素も、示されている。
【図２】缶を完全に覆っている、本発明の対象物であるカバーの、一実施形態の側面図である。
【図３】缶の上部を覆っているだけの、本発明の対象物であるカバーの、一実施形態の斜視図である。
【発明を実施するための形態】
【００１２】
詳細な説明を補完するために、及び、本発明の特徴をより理解するのを助けるために、一組の図面が、不可欠な部分として、本件明細書に添付されており、図面においては、図面の簡単な説明の内容が例示的に且つ非限定的に描かれている。
【００１３】
上記図を参照し、且つ、付された符号によれば、本発明の好ましい実施形態は、図面に示されており、以下に詳細に示され且つ記載された、部分及び要素を、備えている。
【００１４】
上記図に見られるように、対象のカバーは、基本的には、本体１からなっている。本体１は、適切な不浸透性を有し且つ十分に強い、好ましくは、純プラスチック（fine plastic）、セロファン等、好ましくは、透明な、材料で、できており、また、缶２と同様の形態を採用できる。カバーのその形態は、下部１ａが開いており且つ上部ベース１ｂが閉じている円筒形態であり、缶２よりも少し大きな寸法を有しており、それにより、缶２の上部を覆い且つ少なくとも上半分を横方向に緊密態様で囲んでおり、任意に全体を覆うことができる。
【００１５】
本体１は、少なくとも１つの引き裂き手段を有しており、それは、例えば、部分的にダイカットされたストリップ３、又は、他の公知の同様のシステムであり、その端部に、引き裂き手段を持つのを容易にする少なくとも１つのフランジ４を、有しており、それ故、缶２の上面の衛生性を保証する。缶２においては、缶２から直接に飲むことができるようにするために、対応するリングプル６が設けられている。
【００１６】
更に、より強く且つより良好な、缶２の衛生的保護を、提供するために、カバーを形成する本体１の下部は、その内側面に、接着剤又は同様に取り付けるための他のタイプのものを有するバンド５を、備えることができる。バンド５は、缶２の側面に対する本体１の下部の固着を維持し、両要素（カバー及び缶）間の空間を、他のいかなる異質要素の侵入から、密封する。
【００１７】
最後に、図２及び図３に見られる点を強調する必要がある。それは、本体１によって構成されたカバーが、任意に、缶２を完全に覆うことができることである。その場合、本体１は、必然的に下部で開いておらず、接着剤を有するバンド５を用いて取り付ける必要が無い（図２）。又は、カバーは、上部を覆うだけでもよい（図３）。
【００１８】
本発明の特性だけでなく実用に供する方法も十分に記載されているので、発明の範囲及び発明に導かれる利点を当業者が理解するように記載を拡張する必要はないと考えられ、本質内で述べているので、他の実施形態において実用に供することができ、当該他の実施形態は、実施例で示されたものと詳細において異なっており、また、求められている保護によってカバーされており、その基本原理は、変更、変化、及び修正されていない。
【図１】
2011511744.tif 000003
【図２】
2011511744.tif 000004
【図３】
2011511744.tif 000005
【国際調査報告】
2011511744.tif 000006
2011511744.tif 000007
2011511744.tif 000008
2011511744.tif 000009
2011511744.tif 000010
2011511744.tif 000011